(57)【要約】【課題】既設の建造物の外側に安定して容易に設置することができる外部エレベータ及びその設置方法を提供する。【解決手段】建造物Ｍの外側に間隔をあけて配設された一対の昇降支持体１０と、この一対の昇降支持体１０に案内支持されて昇降自在な搬器２０と、一端部が建造物Ｍの支柱Ｍ１に配設され、他端部が一対の昇降支持体１０に対して配設されて、一対の昇降支持体１０を建造物Ｍに対して配設し、垂直方向に間隔をあけて設けられた複数の配設部材４０とを備えている。【選択図】図２
2019085206.tif 000002
【特許請求の範囲】
【請求項１】
建造物の外側に配設される外部エレベータであって、
建造物の外側に間隔をあけて配設された一対の昇降支持体と、
この一対の昇降支持体に案内支持されて昇降自在な搬器と、
一端部が前記建造物の支柱に配設され、他端部が前記一対の昇降支持体に対して配設されて、前記一対の昇降支持体を前記建造物に対して配設し、垂直方向に間隔をあけて設けられた複数の配設部材と
を備えたことを特徴とする外部エレベータ。
【請求項２】
前記配設部材に対して配設され、前記建造物と前記搬器との間を結ぶ通路を構成する床部材を備えたことを特徴とする請求項１記載の外部エレベータ。
【請求項３】
前記配設部材は、一端部が前記建造物の支柱に配設され、他端部が前記建造物から離間する方向に伸長された一対の梁部材と、この一対の梁部材の他端部側を結ぶように連結する連結部材とを有することを特徴とする請求項１又は請求項２記載の外部エレベータ。
【請求項４】
既設の建造物の外側に間隔をあけて配設された一対の昇降支持体と、この一対の昇降支持体に案内支持されて昇降自在な搬器と、前記一対の昇降支持体を前記建造物に対して配設する配設部材とを備えた外部エレベータの設置方法であって、
既設の建造物の外壁の一部を開口して支柱の一部を露出させる支柱露出工程と、
この支柱露出工程の後、露出した支柱に、前記配設部材の一端部を配設し、前記配設部材の他端部に対して前記一対の昇降支持体を配設する昇降支持体配設工程と、
この昇降支持体配設工程の後、前記一対の昇降支持体に前記搬器を配設する搬器配設工程と
を含むことを特徴とする外部エレベータの設置方法。
【発明の詳細な説明】
【技術分野】
【０００１】
本発明は、建造物の外側に配設される外部エレベータ及びその設置方法に関する。
【背景技術】
【０００２】
発電所では、１〜２年に１回の割合で大規模な修理や検査が行われる。通常時は、１００人程度が作業をしており、屋内に設置されている１０人〜２０人乗りのエレベータで足りているのであるが、大規模な修理・検査時には、２０００人〜３０００人が集まって作業をするので、通常時に使用しているエレベータでは足りなくなってしまう。そこで、既設の発電所の外側に、３０人乗り程度の大型のエレベータを設置することができれば、効率よく移動することができるので望ましい。
【０００３】
しかしながら、従来は、建物の建設工事において用いられる仮設の工事用エレベータ（例えば、特許文献１参照）や、既設の多層住宅の外側に設置する小型のエレベータ（例えば、特許文献２参照）はあるものの、既設の建造物の外側に設置する大型のエレベータはなく、開発が望まれていた。
【先行技術文献】
【特許文献】
【０００４】
【特許文献１】特開２００３−２０６０８８号公報
【特許文献２】特開２００１−２９５４７９号公報
【発明の概要】
【発明が解決しようとする課題】
【０００５】
本発明は、このような問題に基づきなされたものであり、既設の建造物の外側に安定して容易に設置することができる外部エレベータ及びその設置方法を提供することを目的とする。
【課題を解決するための手段】
【０００６】
本発明の外部エレベータは、建造物の外側に配設されるものであって、建造物の外側に間隔をあけて配設された一対の昇降支持体と、この一対の昇降支持体に案内支持されて昇降自在な搬器と、一端部が建造物の支柱に配設され、他端部が一対の昇降支持体に対して配設されて、一対の昇降支持体を建造物に対して配設し、垂直方向に間隔をあけて設けられた複数の配設部材とを備えたものである。
【０００７】
本発明の外部エレベータの設置方法は、既設の建造物の外側に間隔をあけて配設された一対の昇降支持体と、この一対の昇降支持体に案内支持されて昇降自在な搬器と、一対の昇降支持体を前記建造物に対して配設する配設部材とを備えた外部エレベータの設置方法であって、既設の建造物の外壁の一部を開口して支柱の一部を露出させる支柱露出工程と、この支柱露出工程の後、露出した支柱に、配設部材の一端部を配設し、配設部材の他端部に対して前記一対の昇降支持体を配設する昇降支持体配設工程と、この昇降支持体配設工程の後、一対の昇降支持体に搬器を配設する搬器配設工程とを含むものである。
【発明の効果】
【０００８】
本発明によれば、一端部が建造物の支柱に配設され、他端部が一対の昇降支持体に対して配設された配設部材により、一対の昇降支持体を建造物に対して配設するようにしたので、安定して容易に大型の外部エレベータを設置することができる。
【０００９】
また、配設部材に床部材を配設するようにすれば、建造物と搬器との間を結ぶ通路を容易に形成することができる。
【図面の簡単な説明】
【００１０】
【図１】本発明の一実施の形態に係る外部エレベータを正面から見た構成を表す図である。
【図２】図１に示した外部エレベータを側面から見た構成を表す部分断面図である。
【図３】図１に示した昇降支持体及び搬器の一部を取り出して表す図である。
【図４】図１に示した外部エレベータの建造物に対する配設構造を表す図である。
【図５】本発明の一実施の形態に係る外部エレベータの設置方法を表す流れ図である。
【発明を実施するための形態】
【００１１】
以下、本発明の実施の形態について図面を参照して詳細に説明する。
【００１２】
図１は、本発明の一実施の形態に係る外部エレベータ１を正面から見た構成を表すものである。図２は、外部エレベータ１を側面から見た構成を表すものである。図３は、図１に示した昇降支持体１０及び搬器２０の一部を取り出して表すものである。図４は、外部エレベータ１の建造物Ｍに対する配設構造を表すものである。この外部エレベータ１は、建造物Ｍの外側に配設されるものであり、建造物Ｍの外側に間隔をあけて配設された一対の昇降支持体１０と、この一対の昇降支持体１０に案内支持されて昇降自在な搬器２０とを備えている。
【００１３】
各昇降支持体１０は、例えば、ポスト部材１１を有しており、建造物Ｍの外壁との間に間隔をあけて、地上から建造物Ｍの外壁に沿って立てられている。ポスト部材１１は、例えば、縦方向に延びる４本の縦材１１Ａと、これら縦材１１Ａの各間に複数段状に組み付けられた横材１１Ｂとを有し、柱状に構成されている。各ポスト部材１１の互いに向き合う側には、上下方向の全長に渡り、直線状のラックギヤ１２が取り付けられている。ラックギヤ１２の歯は、例えば、対向方向に対して横に向いている。
【００１４】
搬器２０は、例えば、資材や作業員が出入り可能な箱形のかご体２１を有している。かご体２１の両側端は、例えば、支持フレーム２２に固定されている。支持フレーム２２は図示しないガイドローラを備えており、このガイドローラが縦材１１Ａに沿って転動することで支持フレーム２２は縦材１１Ａに沿って移動可能となっている。支持フレーム２２には、駆動手段としてのモータ２３が設置されている。モータ２３の出力軸には、ラックギヤ１２の歯と噛み合うピニオンギヤ２４が装着されており、ピニオンギヤ２４２からモータ２３の駆動トルクが出力されると、かご体２１は縦材１１Ａをガイドとして上下方向に動くようになっている。
【００１５】
また、各昇降支持体１０の上には、例えば、ヘッドシーブ部材３０が回転自在に取り付けられている。各ヘッドシーブ部材３０には、ワイヤーロープ３１が掛け渡されている。ワイヤーロープ３１の一端部は、搬器２０に対して着脱可能に接続され、他端部は、昇降支持体１０の側部に昇降可能に配置されたカウンタウエイト３２に対して着脱自在に接続されている。このようなカウンタウエイト機構を備えるようにすれば、搬器２０の昇降負荷を軽減させ、高い搬送速度で重量物を昇降できるので好ましい。
【００１６】
各昇降支持体１０は、配設部材４０により、建造部Ｍに対して配設されている。配設部材４０は、一端部が建造物Ｍの支柱Ｍ１に配設され、他端部が各昇降支持体１０に対して配設されており、垂直方向に間隔をあけて複数設けられている。配設部材４０を配設する支柱Ｍ１は、本柱であることが好ましい。強度を高めることができるからである。また、配設部材４０は、例えば、建造物Ｍにおいて隣り合う２本の支柱Ｍ１、又は、１本の支柱Ｍ１を間に挟んで隣り合う２本の支柱Ｍ１に対して配設される。
【００１７】
配設部材４０は、一端部が建造物Ｍの支柱Ｍ１に配設され、他端部が建造物Ｍから離間する方向に伸長された一対の梁部材４１と、この一対の梁部材４１の他端部側を結ぶように連結する連結部材４２とを有することが好ましい。梁部材４１及び連結部材４２は、例えば、Ｈ形鋼により構成される。梁部材４１の一端部には、例えば、フランジが設けられており、溶接により支柱Ｍ１に直接接合されている。梁部材４１と連結部材４２とは、例えば、ボルトにより接合されている。昇降支持体１０は、例えば、連結部材４２に対して固定部材４３により固定されている。固定部材４３は、例えば、等辺山形鋼により構成されている。なお、一対の梁部材４１には、例えば、連結部材４２と建造物Ｍとの間に１又は複数の小梁部材４４が配設されている。
【００１８】
各配設部材４０は、例えば、建造物Ｍの各階の床Ｍ２に対応して設けられていることが好ましい。各配設部材４０の上（具体的には、連結部材４２及び小梁部材４４の上）には、例えば、建造物Ｍと搬器２０との間を結ぶ通路を構成する床部材４５が配設されており、各床部材４５に対応して、建造物Ｍの各階への入口Ｍ３が設けられている。入口Ｍ３は、例えば、図１に示したように、搬器２０の昇降領域に対応する位置から横にずれた位置に設けられていてもよく、また、図示しないが、搬器２０の昇降領域に対応する位置に設けられていてもよい。
【００１９】
図５は、外部エレベータ１の設置方法を表す流れ図である。この外部エレベータ１は、例えば、次のようにして既設の建造物Ｍに対して設置することができる。まず、既設の建造物Ｍの外壁Ｍ４の一部を開口して支柱Ｍ１の一部を露出させる（ステップＳ１１０；支柱露出工程）。次いで、この支柱露出工程の後、露出した支柱Ｍ１に、配設部材４０の一端部を配設し、配設部材４０の他端部に対して一対の昇降支持体１０を配設する（ステップＳ１２０；昇降支持体配設工程）。
【００２０】
昇降支持体配設工程（ステップＳ１２０）では、例えば、まず、梁部材４１の一端部を支柱Ｍ１に対して溶接により直接接合する（ステップＳ１２１；梁部材接合工程）。次いで、梁部材４１の他端部側に連結部材４２をボルトにより接合する（ステップＳ１２２；連結部材接合工程）。なお、これら梁部材４１及び連結部材４２は、建造物Ｍの各階の床に対応して、垂直方向に間隔をあけて複数配設する。続いて、昇降支持体１０、具体的にはポスト部材１１を組み立てながら、順次、昇降支持体１０を連結部材４２に対して固定部材４２により固定する（ステップＳ１２３；固定工程）。そののち、例えば、昇降支持体１０の上に、ヘッドシーブ部材３０を取り付ける（ステップＳ１２４；ヘッドシーブ取付工程）。また、適当な時に、梁部材４１に小梁部材４４をボルトにより接合し、配設部材４０の上に床部材４５を配設する（ステップＳ１２５；床配設工程）。
【００２１】
昇降支持体配設工程（ステップＳ１２０）の後、一対の昇降支持体１０に搬器２０、ワイヤーロープ３１、及び、カウンタウエイト３２を取り付ける（ステップＳ１３０；搬器配設工程）。また、適当な時に、建造物Ｍの各階への入口Ｍ３を形成する（ステップＳ１４０；入口形成工程）。
【００２２】
このように、本実施の形態によれば、一端部が建造物Ｍの支柱Ｍ１に配設され、他端部が一対の昇降支持体１０に配設された配設部材４０により、一対の昇降支持体１０を建造物Ｍに対して配設するようにしたので、安定して容易に大型の外部エレベータ１を設置することができる。
【００２３】
また、配設部材４０に床部材４５を配設するようにすれば、建造物Ｍと搬器２０との間を結ぶ通路を容易に形成することができる。
【００２４】
以上、実施の形態を挙げて本発明を説明したが、本発明は上記実施の形態及び変形例に限定されるものではなく、種々変形可能である。例えば、上記実施の形態及び変形例では、各構成要素について具体的に説明したが、全ての構成要素を備えていなくてもよく、また、他の構成要素を備えていてもよい。
【産業上の利用可能性】
【００２５】
外部エレベータに用いることができる。
【符号の説明】
【００２６】
１…外部エレベータ、１０…昇降支持体、１１…ポスト部材、１１Ａ…縦材、１１Ｂ…横材、１２…ラックギヤ、２０…搬器、２１…かご体、２２…支持フレーム、２３…モータ、２４…ピニオンギヤ、３０…ヘッドシーブ部材、３１…ワイヤーロープ、３２…カウンタウエイト、４０…配設部材、４１…梁部材、４２…連結部材、４３…固定部材、４４…小梁部材、４５…床部材、Ｍ…建造物、Ｍ１…支柱、Ｍ２…床、Ｍ３…入口、Ｍ４…外壁
【図１】
2019085206.tif 000003
【図２】
2019085206.tif 000004
【図３】
2019085206.tif 000005
【図４】
2019085206.tif 000006
【図５】
2019085206.tif 000007
【手続補正書】
【提出日】平成30年6月18日(2018.6.18)
【手続補正１】
【補正対象書類名】特許請求の範囲
【補正対象項目名】全文
【補正方法】変更
【補正の内容】
【特許請求の範囲】
【請求項１】
既設の建造物の外側に配設される外部エレベータであって、
前記既設の建造物の外側に間隔をあけて配設された一対の昇降支持体と、
この一対の昇降支持体に案内支持されて昇降自在な搬器と、
一端部が前記既設の建造物の本柱に配設され、他端部が前記一対の昇降支持体に対して配設されて、前記一対の昇降支持体を前記既設の建造物に対して配設し、垂直方向に間隔をあけて設けられた複数の配設部材とを備え、
前記配設部材は、一端部が前記既設の建造物の本柱に配設され、他端部が前記既設の建造物から離間する方向に伸長された一対の梁部材と、この一対の梁部材の他端部側を結ぶように連結する連結部材とを有し、
前記梁部材の一端部は、前記既設の建造物の外壁の一部を開口して露出させた本柱に溶接により直接接合されている
ことを特徴とする外部エレベータ。
【請求項２】
前記配設部材に対して配設され、前記建造物と前記搬器との間を結ぶ通路を構成する床部材を備えたことを特徴とする請求項１記載の外部エレベータ。
【請求項３】
既設の建造物の外側に間隔をあけて配設された一対の昇降支持体と、この一対の昇降支持体に案内支持されて昇降自在な搬器と、前記一対の昇降支持体を前記建造物に対して配設する配設部材とを備え、この配設部材は、一端部が前記既設の建造物の本柱に配設され、他端部が前記既設の建造物から離間する方向に伸長された一対の梁部材と、この一対の梁部材の他端部側を結ぶように連結する連結部材とを有する外部エレベータの設置方法であって、
既設の建造物の外壁の一部を開口して本柱の一部を露出させる支柱露出工程と、
この支柱露出工程の後、露出した前記本柱に、前記配設部材の一端部を配設し、前記配設部材の他端部に対して前記一対の昇降支持体を配設する昇降支持体配設工程と、
この昇降支持体配設工程の後、前記一対の昇降支持体に前記搬器を配設する搬器配設工程とを含み、
前記昇降支持体配設工程では、前記梁部材の一端部を前記本柱に対して溶接により直接接合し、次いで、前記梁部材の他端部側を前記連結部材により連結し、これら梁部材及び連結部材を垂直方向に間隔をあけて複数配設する
ことを特徴とする外部エレベータの設置方法。